(57)【要約】      （修正有）【課題】同じ封筒を複数回利用できるようにする。【解決手段】内部に搬送物を収納可能な封筒であって、袋状部材２と、貼着部材３とを備えている。袋状部材２は、第１端部を有する第１シート部材２１と、第１シート部材２１との間に搬送物を配置可能であって端部が第１シート部材２１の第１端部以外の端部に接続された第２シート部材と、を有する。貼着部材３は、第２シート部材の第１端部に対応する位置の近傍に貼着可能な第１貼着部と、第１端部２１１の近傍に貼着可能な第２貼着部３２と、を有する。【選択図】図１
0003132761.tif 000002
【実用新案登録請求の範囲】
【請求項１】
内部に搬送物を収納可能な封筒であって、
第１端部を有する第１シート部と、前記第１シート部との間に前記搬送物を配置可能であって端部が前記第１シート部の前記第１端部以外の端部に接続された第２シート部と、を有する袋状部材と、
前記第２シート部の前記第１端部に対応する位置の近傍に貼着可能な第１貼着部と、前記第１端部の近傍に貼着可能な第２貼着部と、を有する貼着部材と、
を備えた封筒。
【請求項２】
前記袋状部材は、前記第２シート部の前記第１端部に対応する位置から外方に延びるように設けられたつば部をさらに有する、請求項１に記載の封筒。
【請求項３】
前記第２貼着部は、複数の貼着可能部分を有しており、
前記貼着可能部分は、それぞれ切り離し可能である、
請求項１又は２に記載の封筒。
【請求項４】
隣り合う前記貼着可能部分の間にミシン目が形成されている、請求項３に記載の封筒。
【請求項５】
前記第１シート部及び前記第２シート部は、多角形状であって、
前記第１端部は、両端に切り欠きが形成されている、
請求項１から４のいずれかに記載の封筒。
【請求項６】
前記第１シート部又は第２シート部のいずれか一方に着脱自在であって、宛先を記載する宛先シールと、
前記第１シート部又は第２シート部のいずれか一方に着脱自在であって、差出人の情報を記載する差出人情報シールとをさらに備えた、
請求項１から５のいずれかに記載の封筒。
【考案の詳細な説明】
【技術分野】
【０００１】
本考案は、封筒、特に、再利用可能な封筒に関する。
【背景技術】
【０００２】
搬送物を搬送、例えば郵送する際に使用される封筒は、搬送物を挿入可能な挿入口を有する袋状の部材である。郵送する際には、搬送物が挿入口から内部に挿入され、宛先や差出人の情報が表面に記載された後、挿入口が接着部材などによって閉じられる。このような状態で搬送された後、挿入口を開き、内部の搬送物が挿入口から取り出される。このとき、封筒はそのまま捨てられる。そして返信の際には新たな封筒を用いて、同様の動作を行って、搬送物を内部に挿入した後に返信される。返信後の封筒も搬送時と同様に捨てられる。
【考案の開示】
【考案が解決しようとする課題】
【０００３】
このような封筒では、郵送時に接着部材によって閉じられた挿入口が郵送後に切り開かれるために再び使用することが出来ない。また、挿入口を切り開かずに開くことも出来るが、挿入口の近傍が破れないようにする必要があり挿入口を開き、搬送物を取り出すのに時間がかかる。
【０００４】
本考案の課題は、同じ封筒を複数回利用できるようにすることにある。
【課題を解決するための手段】
【０００５】
請求項１に係る封筒は、内部に搬送物を収納可能な封筒であって、袋状部材と、貼着部材とを備えている。袋状部材は、第１端部を有する第１シート部と、第１シート部との間に搬送物を配置可能であって端部が第１シート部の第１端部以外の端部に接続された第２シート部と、を有する。貼着部材は、第２シート部の第１端部に対応する位置の近傍に貼着可能な第１貼着部と、第１端部の近傍に貼着可能な第２貼着部と、を有する。
【０００６】
この封筒では、郵送の際には搬送物を第１シート部と第２シート部との間に配置し、貼着部材の第１貼着部を第２シート部の第１端部に対応する位置の近傍に貼着する。そして、第２貼着部を第１端部の近傍に貼着する。搬送物の搬送後には、貼着部材を切断し内部の搬送物を取り出す。この封筒を再度利用する際には、新たな貼着部材を用いて上記の動作と同様の作業によって封筒内に搬送物を封入し、搬送を行う。
【０００７】
ここでは、新たな貼着部材を用いることで封筒を再利用することが出来る。
【０００８】
請求項２に係る封筒は、請求項１に記載の封筒であって、袋状部材は、第２シート部の第１端部に対応する位置から外方に延びるように設けられたつば部をさらに有している。
【０００９】
ここでは、袋状部材に搬送物を収納した後、貼着部材の第１貼着部を第２シート部の第１端部に対応する位置の近傍に貼着し、第２貼着部を覆うようにつば部の先端を第１シート部材に貼着することで、第２貼着部を覆い隠すことが出来る。
【００１０】
請求項３に係る封筒は、請求項１又は２に記載の封筒であって、第２貼着部は、複数の貼着可能部分を有しており、貼着可能部分は、それぞれ切り離し可能である。
【００１１】
ここでは、貼着可能部分を使用後に切り離していくことで、貼着可能部分の回数分封筒を再利用することが出来る。
【００１２】
請求項４に係る封筒は、請求項３に記載の封筒であって、隣り合う貼着可能部分の間にミシン目が形成されている。
【００１３】
ここでは、貼着可能部分を切り離しやすくなっている。
【００１４】
請求項５に係る封筒は、請求項１から４のいずれかに記載の封筒であって、第１シート部及び第２シート部は、多角形状である。第１端部は、両端に切り欠きが形成されている。
【００１５】
ここで、第１端部の両端に形成された切り欠きからサハミ等を入れることが出来るために開封しやすくなる。
【００１６】
請求項６に係る封筒は、請求項１から５のいずれかに記載の封筒であって、宛先シールと、差出人情報シールとをさらに備えている。宛先シールは、第１シート部又は第２シート部のいずれか一方に着脱自在であって、宛先を記載する。差出人情報シールは、第１シート部又は第２シート部のいずれか一方に着脱自在であって、差出人の情報を記載する。
【００１７】
ここで、返信する際には宛先シールと差出人情報シールとの位置を逆にすれば良い。このために返信しやすくなる。
【考案の効果】
【００１８】
本考案では、同じ封筒を複数回利用できるようにすることができる。
【考案を実施するための最良の形態】
【００１９】
１．構成
図１に本考案の一実施形態に係る封筒１を示す。この封筒１は、手紙等の搬送物を内部に収納するためのものであって、袋状部材２と、貼着部材３と、宛先シール４と、差出人情報シール５とを備えている。
【００２０】
袋状部材２は、搬送物を内部に収納する部材であって、図２及び図３に示すように、第１シート部材２１と、第２シート部材２２と、つば部２３と、第１貼り付け部２４と、第２貼り付け部２５と、を備えている。また、袋状部材２は、紙素材によって形成されている。
【００２１】
第１シート部材２１は、略長方形状の部分であって、第１端部２１１と、第２端部２１２と、第３端部２１３と、第４端部２１４とを有している。第１端部２１１は、第１シート部材２１の長手方向の一端に設けられた部分であって、両端部が略三角形状に切り取られて形成された切り欠き２１１ａが形成されている。第２端部２１２は、第１シート部材２１の長手方向他端に設けられている。第３端部２１３は、第１端部２１１と第２端部２１２とに接続されるように設けられた部分である。第４端部２１４は、第１端部２１１と第２端部２１２とに接続されており、第２シート部材２２に接続されている。
【００２２】
第２シート部材２２は、略長方形状の部分であって、第１シート部材２１に対向するように配置されている。また、第２シート部材２２は、第１シート部材２１との間に搬送物を配置可能なように配置されており、第５端部２２１と、第６端部２２２と、第７端部２２３と、第８端部２２４とを備えている。第５端部２２１は、第１端部２１１に対応する位置に設けられた部分である。第６端部２２２は第２端部２１２に対向する位置に設けられている。第７端部２２３は、第５端部２２１と第６端部２２２に接続され、第３端部２１３に対向する位置に設けられている。第８端部２２４は、第５端部２２１と第６端部２２２とに接続され、第１シート部材２１が接続されている。さらに、第２シート部材２２には、切手を貼着するための部分２２ａ（図４参照）が設けられており、宛先シール４を貼着可能な部分と、差出人情報シール５を貼着可能な部分とが設けられている。
【００２３】
つば部２３は、第２シート部材２２における第１端部２１１に対応する位置から第２シート部材２２の長手方向に沿って延びる部分であって、第２シート部材２２の第１端部２１１に対応する位置の近傍を折り曲げることで貼着部材３を覆い隠す。また、つば部２３は、端部に第１シート部材２１に着脱可能な接着剤が塗布されており、徐々に幅が狭くなるように台形状に突出している。
【００２４】
第１貼り付け部２４は、第１シート部材２１の第１端部２１１が設けられていない側の端部に接続された部分であって、第１シート部材２１に接触するように折り曲げ可能な部分である。この第１貼り付け部２４に接着剤を塗布し、第１シート部材２１に接触させることによって、第１シート部材２１の第２端部２１２と第２シート部材２２の第６端部２２２とを接続する。
【００２５】
第２貼り付け部分２５は、第１シート部材２１の第３端部２１３に接続された部分であって、第１シート部材２１に接触するように折り曲げ可能な部分である。この第２貼り付け部２５に接着剤を塗布し、第１シート部材２１に接触させることによって、第１シート部材２１の第３端部２１３と第２シート部材２２の第７端部２２３とを接続する。
【００２６】
貼着部材３は、第１シート部材２１の第１端部２１１の近傍と第２シート部材２２の第５端部２２１の近傍とを貼着させることで第１シート部材２１と第２シート部材２２との間に配置された搬送物が袋状部２の外部に出ないようにするためのものである。また、貼着部材３は、図５に示すように、略長方形状の部分であって、第１貼着可能部分３１と、第２貼着可能部分３２とを有している。第１貼着可能部分３１は、第２シート部材２２に貼着される部分であって、貼着部材３の長手方向一端部に設けられた部分である。第２貼着可能部分３２は、第１シート部材２１に貼着される部分であって、貼着部材３の長手方向他端部であって、かつ第１貼着可能部分３１が設けられた面の逆側の面に配置されている部分である。また、第２貼着可能部分３２は、４つの貼着可能部分３２１（上から順に３２１ａ，３２１ｂ，３２１ｃ，３２１ｄ）を有しており、隣り合う２つの貼着可能部分３２１の間にはミシン目３２２が形成されている。このために、各貼着可能部分３２１は切り離し可能になっている。各貼着可能部分３２１は、両端部が徐々に細くなるように形成されており、接着剤が塗布された部分と、接着剤が乾燥するのを防止し、接着剤が塗布された部分に取り外し可能に設けられた乾燥防止シートとを有している。
【００２７】
宛先シール４は、宛先を記載するためのシールであって、略長方形状のシール部材である。また、宛先シール４は、着脱自在な部材であって、貼り付けた後に第２シート部材２２から剥がすことができる。ここで、宛先とは、搬送物の送り先の受取人の名前、住所、郵便番号などの情報のことである。
【００２８】
差出人情報シール５は、差出人の情報を記載するためのシールであって、略長方形状のシール部材である。ここで、差出人の情報とは、差出人の名前、住所、郵便番号などのことである。また、差出人情報シール５は、着脱自在な部材であって、貼り付けた後に第２シート部材２２から剥がすことができる。
【００２９】
２．動作
次にこの封筒１を用いて手紙を送る場合の動作について説明する。
【００３０】
手紙を送る場合には、第１端部２１１と第５端部２２１との間を通過させるように手紙を袋状部材２の内部に配置する。袋状部材２に手紙を挿入した後、貼着部材３の第１貼着可能部分３１を第２シート部材２２の第１端部２１１に対応する位置の近傍、具体的には第５端部２２１の近傍に貼着させる。そして、第２貼着可能部分３２の長手方向端部に配置された貼着可能部分３２１ｄの乾燥防止シートを剥がし、第２貼着部分３２を第１シート部材２１の第１端部２１１の近傍に貼着する。このようにして、第１端部２１１と第５端部２２１とを接続した後、つば部２３を第２シート部材２２に対して折り曲げ、第２貼着可能部分３２が外部から見えないように覆い隠す。その後、宛先を記載した宛先シール４及び差出人の情報を記載した宛先シール４及び差出人情報シール５を貼付し、切手を貼付する。その後、この封筒を郵送する。
【００３１】
この封筒１を受け取った受取人の動作について説明する。
【００３２】
この封筒１を受け取った受取人は、つば部２３の先端の着脱可能部分を第１シート部材２１から剥がし、第２貼着可能部分３２の第１シート部材２１に貼着されている着脱可能部分３２１ｄの近傍のミシン目３２２を切り離す。その後、袋状部材２から手紙を取り出す。そして、この封筒１を再び使用する際には、第１端部２１１と第５端部２２１との間を通過させて搬送物、例えば手紙を袋状部材２に挿入する。その後、第２貼着可能部分３２の先端側に位置する貼着可能部分３２１ｃの乾燥防止シートを剥がし、第２貼着可能部分３２を第１シート部材２１に貼着させる。そして、つば部２３を第２貼着可能部分３２を覆い隠すように貼付する。ここで、差出人に返信する際には宛先シール４と差出人情報シール５とを張り替える。一方、差出人以外に送る場合には、宛先シール４を差出人情報の部分に貼り替え、新たに宛先を記載した宛先シール４を貼り付ける。そして、前回使用した切手の側部の切手貼り付け位置に新たな切手を貼付する。このようにして再び送られてきた封筒１を利用して手紙を送る。
【００３３】
ここでは、以上の動作を繰り返すことで、一つの封筒１を繰り返し使用することが出来る。また、貼着部材３の第２貼着可能部分３２を４回使用した後には、新たな貼着部材３を使用することで、さらに封筒１を使用できる。また、送られてきた封筒１を用いて差出人に送り返す場合には、宛先シール４と、差出人情報シール５との貼付位置を変えることで返信できるために差出人の情報などを記載する必要が無く、返信しやすくなる。
【００３４】
３．他の実施形態
（ａ）上記実施形態では、第２貼着可能部分３２に４つの貼着可能部分３２１が配置されたものを用いたが、本考案はこれに限られずに、６つや２つであっても良い。また、図６のように、１つの貼着可能部分３２１を有するものを用いて使用毎に貼着部材３を取り替えるようにしても良い。
【００３５】
（ｂ）上記実施形態では、手紙などを搬送物としたが、本考案はこれに限らずに、袋状部材２の内部に緩衝部材を配置し、ＣＤなどを搬送物としても良い。この場合には、緩衝部材を再び利用できる。
【図面の簡単な説明】
【００３６】
【図１】本考案に係る封筒の一実施形態を示す全体図。
【図２】袋状部材を示す図。
【図３】袋状部材の展開図。
【図４】第２シート部材の一面に宛先シール及び差出人情報シールが貼付された状態を示す図。
【図５】貼着部材を示す図。
【図６】他の実施形態の貼着部材を示す図。
【符号の説明】
【００３７】
１  封筒
２  袋状部材
３  貼着部材
４  宛先シール
５  差出人情報シール
２１  第１シート部材（第１シート部）
２２  第２シート部材（第２シート部）
２３  つば部
３１  第１貼着部分
３２  第２貼着部分
２１１  第１端部
３２２  ミシン目
２１１ａ  切り欠き
【図１】
0003132761.tif 000003
【図２】
0003132761.tif 000004
【図３】
0003132761.tif 000005
【図４】
0003132761.tif 000006
【図５】
0003132761.tif 000007
【図６】
0003132761.tif 000008